(57)【要約】【課題】使い勝手およびお手入れ性の向上を図れる電気掃除機を提供する。【解決手段】本発明の電気掃除機Ｓは、塵埃を含む空気をホース取り付け口１１から吸い込む吸引力を発生する電動送風機１４を有する掃除機本体１と、掃除機本体１に着脱自在であり、空気から分離した塵埃を集める集塵装置１０とを備え、掃除機本体１を床面に置いた際、集塵装置１０を掃除機本体１から取り外した状態のホース取り付け口１１と床面Ｍとの距離ｓ３は、集塵装置１０を掃除機本体１に装着した状態のホース取り付け口１１と床面Ｍとの距離ｓ２よりも長い。【選択図】図１１
2016010499.tif 000002
【特許請求の範囲】
【請求項１】
塵埃を含む空気をホース取り付け口から吸い込む吸引力を発生する電動送風機を有する掃除機本体と、
前記掃除機本体に着脱自在であり、前記空気から分離した前記塵埃を集める集塵装置とを備え、
前記掃除機本体を床面に置いた際、前記集塵装置を前記掃除機本体から取り外した状態の前記ホース取り付け口と前記床面との距離は、前記集塵装置を前記掃除機本体に装着した状態の前記ホース取り付け口と前記床面との距離よりも長い
ことを特徴とする電気掃除機。
【請求項２】
前記掃除機本体は、
掃除する場合に、前記床面に接触して回動する前部に設けられる前輪および略中央部に設けられる走行輪を有し、
前記掃除機本体を床面に置いた際、
前記掃除機本体から前記集塵装置を取り外した場合には前記走行輪と前記掃除機本体の後部とが前記床面に接触して前記前輪は前記床面に接触せず、前記掃除機本体に前記集塵装置を装着した場合には前記前輪と前記走行輪とが前記床面に接触する
ことを特徴とする請求項１に記載の電気掃除機。
【請求項３】
前記掃除機本体は、
掃除する場合に、前記床面に接触して回動する前部に設けられる前輪および略中央部に設けられる走行輪を有し、
前記掃除機本体を前記床面に置いた際、
前記掃除機本体から前記集塵装置を取り外した場合には前記掃除機本体の重心は前記走行輪よりも後側に位置し、前記掃除機本体に前記集塵装置を装着した場合には前記集塵装置を装着した前記掃除機本体の重心は前記走行輪よりも前側に位置する
ことを特徴とする請求項１に記載の電気掃除機。
【請求項４】
側方視で、前記掃除機本体に前記集塵装置を装着した際の前記集塵装置の中心軸は、前記掃除機本体から取り外した前記集塵装置を前記掃除機本体に装着する際の前記集塵装置の中心軸よりも前記床面に対して大きな傾斜角度を有する
ことを特徴とする請求項１に記載の電気掃除機。
【請求項５】
塵埃を含む空気をホース取り付け口から吸い込む吸引力を発生する電動送風機を有する掃除機本体と、
前記掃除機本体の取り付け面にその下面が着脱自在であり、前記空気から分離した前記塵埃を集める集塵装置とを備え、
前記掃除機本体を床面に置いた際、
前記掃除機本体から前記集塵装置を取り外した場合の前記取り付け面の前記床面に対する傾斜角度は、前記掃除機本体に前記集塵装置を装着した場合の前記取り付け面の前記床面に対する傾斜角度よりも大きい
ことを特徴とする電気掃除機。
【発明の詳細な説明】
【技術分野】
【０００１】
本発明は、電気掃除機に関する。
【背景技術】
【０００２】
従来、捕集容器内にごみを集めて圧縮し、該捕集容器の底蓋を開放することでごみが円滑に捨てられるサイクロン分離装置とそれを備えた電気掃除機がある。
【０００３】
この掃除機では、本体内に設けられる電動送風機により、本体に形成される吸気口から、塵埃を含む空気を吸込み、サイクロン分離装置を通過させて空気と塵埃を分離して塵埃を除去し、塵埃を除去後の空気を、電動送風機を介して、機外に排出している。
【先行技術文献】
【特許文献】
【０００４】
【特許文献１】特開２０１０−１０４６９１号公報(段落００３５〜００４７、図１、図２等)
【発明の概要】
【発明が解決しようとする課題】
【０００５】
ところで、この電気掃除機では、ごみ捨て時にサイクロン分離装置を本体から取り外し、再度サイクロン分離装置を本体に取り付ける際、本体の取り付け部がユーザ側に向いておらず、サイクロン分離装置を本体に取り付けるが難しくなる恐れがある。
【０００６】
また、本体のごみの流路が詰まった際、本体のホース取り付け口または本体のサイクロン分離装置へのごみの入口である導出管出口に割り箸などを挿入し、ごみを取り除くが、本体のホース取り付け口または本体の導出管出口がユーザ側を向いておらず、詰まったごみの取り除き作業が行いづらくなる恐れがある。
【０００７】
特許文献１には、紙パック、サイクロン分離装置などの集塵装置が着脱可能に取り付けられる電気掃除機の姿勢に関する技術が記載されている。特許文献１によれば、電源コードが巻き込まれているときは、掃除機本体の姿勢は、ユーザが集塵部を上方から取り付け取り外しできる姿勢であり、電源コードが引き出されたときは、掃除機本体の前部が上向きになる構成が記載されている。
【０００８】
特許文献１の技術は、電源コードが収納されている際、集塵部の取り外し取り付け方向が上向きであり、集塵部の取り付け取り外しは円滑に行えるが、電源コードが引き出された際には集塵部の取り付け取り外し方向が斜め方向になる恐れがある。
また、掃除機本体の前部の接続管部を掃除する際、電源コードが収納されている場合、接続管部の向きが水平であり、ユーザの目線からずれた姿勢であり、接続管部の掃除が行い難くなる恐れがある。
【０００９】
本発明は上記実状に鑑み、使い勝手およびお手入れ性の向上を図れる電気掃除機の提供を目的とする。
【課題を解決するための手段】
【００１０】
前記課題を解決するため、本発明の電気掃除機は、塵埃を含む空気をホース取り付け口から吸い込む吸引力を発生する電動送風機を有する掃除機本体と、前記掃除機本体に着脱自在であり、前記空気から分離した前記塵埃を集める集塵装置とを備え、前記掃除機本体を床面に置いた際、前記集塵装置を前記掃除機本体から取り外した状態の前記ホース取り付け口と前記床面との距離は、前記集塵装置を前記掃除機本体に装着した状態の前記ホース取り付け口と前記床面との距離よりも長い。
【発明の効果】
【００１１】
本発明によれば、使い勝手およびお手入れ性の向上を図れる電気掃除機を提供することができる。
【図面の簡単な説明】
【００１２】
【図１】本発明に係る実施形態の電気掃除機の外観斜視図。
【図２】掃除機本体から吸引ホースを取り外し、電源コードを巻き込んだ状態の上面図。
【図３】図２のＡ−Ａ断面図。
【図４】掃除機本体から集塵装置や吸引ホースを取り外した状態の外観斜視図。
【図５】掃除機本体の上ケースを取り外した状態の斜視図。
【図６】集塵装置を示す正面図。
【図７】集塵装置を示す左側面図。
【図８】集塵装置を示す背面図。
【図９】集塵装置を示す分解図。
【図１０】掃除機本体から吸引ホースを取り外し、電源コードを巻き込んだ状態の側面図。
【図１１】掃除機本体から集塵装置を取り外した状態の側面図。
【図１２】集塵装置を掃除機本体から外した場合の上面図。
【図１３】導入管内に湿気をもったごみなどが残留した際のごみの除去作業を表わす図２のＡ−Ａ断面図。
【発明を実施するための形態】
【００１３】
以下、本発明の実施形態について、適宜図面を参照しながら詳細に説明する。
＜＜実施形態１＞＞
図１に、本発明に係る実施形態の電気掃除機の外観斜視図を示し、図２に、掃除機本体から吸引ホースを取り外し、電源コードを巻き込んだ状態の上面図を示す。
図３に、図２のＡ−Ａ断面を示す。図４に、掃除機本体から集塵装置や吸引ホースを取り外した状態の外観斜視図を示す。なお、上下方向、左右方向、前後方向については図１に示す方向とする。なお、左右方向は、掃除機本体１側から見たものである。
【００１４】
図１に示すように、電気掃除機Ｓは、掃除機本体１と、掃除機本体１に着脱自在に設けられるサイクロン方式の集塵装置１０とを備えている。
掃除機本体１は、吸引ホース２を介して手元ハンドル３と接続され、手元ハンドル３は延長管６を介して、塵埃などを吸込む吸口体７と接続されている。集塵装置１０には、吸口体７で吸い込まれた塵埃などのごみが集塵される。
【００１５】
掃除機本体１には、掃除機本体１を自在に移動させるための左右の一対の走行輪１５ａと、前部の一つのキャスタ１５ｂとが備えられている。なお、後部には、掃除機本体１を後側に傾けた際に床面Ｍ上を転動する一つのローラ１５ｃが備わっている(図３参照)。
【００１６】
電気掃除機Ｓにて掃除を行う際は、前部の一つのキャスタ１５ｂと左右の一対の走行輪１５ａとが床面Ｍ上を回動して行われる。一方、後部の一つのローラ１５ｃは、掃除中に掃除機本体１の前部が上方に持ち上がった場合に、掃除機本体１の後下部が床面Ｍに接触することなく、ローラ１５ｃが床面Ｍ上を回動することで、掃除機本体１の後下部の床面Ｍへの接触を防いでいる。
【００１７】
手元ハンドル３には、掃除機本体１に内蔵される電動送風機１４（図５参照）や、吸口体７に設けられる電動回転ブラシ（図示せず）などの駆動制御を担う操作部４を備えている。操作部４には、運転を開始する際、押下する（強・中・弱）ボタンや、運転を停止する際に押下する（切）ボタンなどの操作ボタン５が配置されている。
【００１８】
＜掃除機本体１＞
図１に示すように、掃除機本体１は、上ケース１ａと下ケース１ｂとが組み合わされ外殻が形成されている。上ケース１ａおよび下ケース１ｂは、軽量な樹脂材料で形成されている。下ケース１ｂの前部には、塵埃を含む空気が吸い込まれるホース取り付け口１１が開口されている。
【００１９】
図５に、掃除機本体の上ケースを取り外した状態の斜視図を示す。
ホース取り付け口１１は、掃除機本体１内の塵埃を含む空気が通過する導入管２０に接続されている。
【００２０】
掃除機本体１の内部には、図３に示すように、モータケース１６内に、吸口体７(図１参照)での吸引力を発生する電動送風機１４が収納されている。電動送風機１４は、電気掃除機Ｓにおいては、重量が大きく掃除機本体１の重心位置を左右する枢要な構成要素である。
また、電動送風機１４で吸引した塵埃を除去した後の空気の流路には排気を清浄化するプリーツ状の高捕塵フィルタ２９(図５参照)が配置されている。
【００２１】
図５に示す掃除機本体１の正面左側には、ホース取り付け口１１と、導入管２０を介して流体的に接続される導入管出口１２が備わっている。
ホース取り付け口１１の向き(符号１１ｃ)(図１０参照)は、略水平面である床面Ｍに対して上向きの傾斜を有している(図３参照)。そのため、ホース取り付け口１１よりずっと高い位置に位置するユーザによる吸引ホース２の取り付け、取り外しが容易である。
【００２２】
導入管出口１２(図５参照)は、掃除機本体１に装着される集塵装置１０に流体的に接続されている。集塵装置１０は、吸口体７で吸込んだ塵埃などのごみを含む空気をごみと空気とに分離し、ごみを収容するものである。
【００２３】
一方、掃除機本体１の正面上部には、電動送風機１４と連通するダクト２１(図５参照)へのダクト入口部２１ｉが備わっている。ダクト入口部２１ｉは、集塵装置１０で塵埃などのごみを除去した後に空気が吸い込まれる口である。ダクト入口部２１ｉには、電動送風機１４への塵埃除去後の空気に含まれる異物の侵入を抑制するために保護フィルタ（図示せず）が設けられている。保護フィルタは格子状のフィルタカバー１７の前面に設けられた４箇所のつめで保持されている。
【００２４】
集塵装置１０は、図４の白抜き矢印α１に示すように、掃除機本体１の前上部が後側に傾斜した状態で着脱自在に取り付けられる。集塵装置１０は、ごみが外筒３０内に溜まった際に、図４に示すように、掃除機本体１から取り外され、ごみ捨て後に掃除機本体１に取り付けられる。
【００２５】
掃除機本体１には、集塵装置１０を掃除機本体１に取り付けた際に容易に気密を保持できるように、集塵装置１０の位置決めのための構造や固定するための構造を備えている。
図４に示す掃除機本体１における凹状の取っ手収納部２２には、集塵装置１０の後方に備えている取っ手３５(図７参照)が収納される。これは、集塵装置１０を掃除機本体１に装着する際の集塵装置１０の位置決めのための構造となっている。
【００２６】
また、掃除機本体１における集塵装置１０の取り付け箇所の下部には、集塵装置１０の底蓋３１(図４参照)の底面(集塵装置１０の下面)との嵌合部１ａ１が設けられ、集塵装置１０の固定のための構造としている。そして、掃除機本体１の上部に設けた蓋体１９で、集塵装置１０の上部を固定する構成である。
【００２７】
図３に示すように、集塵装置１０が掃除機本体１に取り付けられた状態では、集塵装置１０は、ダクト２１と流体的に接続されている。ダクト２１は、ホース取り付け口１１に隣接する導入管２０およびフィルタカバー１７で覆われる保護フィルタに連通する。
電動送風機１４は、上流側にごみを除去後の保護フィルタを通った空気が流れるダクト２１が流体的に接続される一方、下流側に高捕塵フィルタ２９(図５参照)が流体的に接続されている。
【００２８】
＜掃除機本体１内に吸い込まれた塵埃を含む空気の流路＞
集塵装置１０が掃除機本体１に取り付けられた状態では、縦断面図の図３に示すように、ホース取り付け口１１から高捕塵フィルタ２９(図５参照)に至るまで、一連の流路となっている。
電気掃除機Ｓの掃除機本体１において、吸口体７から掃除機本体１に吸込まれた空気は図３に示す矢印β１〜β８のように流れる。
【００２９】
具体的には、吸口体７(図１参照)で吸い込まれた塵埃などを含む空気は、ホース取り付け口１１から掃除機本体１内の導入管２０に流入し(図３の矢印β１)、導入管２０内を通って導入管出口１２を通って集塵装置１０に至る(図３の矢印β２)。  集塵装置１０内に入った塵埃などを含む空気は内筒４０の廻りを回る気流となる (図３の矢印β３)。この気流により発生する遠心力で空気と塵埃を分離し、空気は内筒４０内に吸い込まれ、一部の気流（図４の矢印β４）は集塵装置１０の下部へ流れる。塵埃は、この気流（図４の矢印β４）により、外筒３０内面に沿って落下し、集塵装置１０の下部に溜まる。
【００３０】
集塵装置１０の下部への気流（図４の矢印β４）は円筒状の傘部４４の外周面に沿って上昇し(図３の矢印β５)、内筒４０内に吸い込まれる。
内筒４０内には、後記するメッシュ部材４２aを通過した遠心分離しきれなかった微細な塵埃を含む空気が流れ、集塵装置１０に設けた捕塵フィルタ３２で微細な塵埃が除去される。そして、塵埃が除去された空気は、ダクト２１を通過して、電動送風機１４に吸い込まれる(図３の矢印β６)。そして、電動送風機１４に吸い込まれた空気は、高捕塵フィルタ２９を通過して残留する異物などが除去され(図３の矢印β７)、掃除機本体１の後下部の排出口７６から外部に排出される(図３の矢印β８)。
【００３１】
ここで、高捕塵フィルタ２９(図５参照)は、捕塵フィルタ３２で捕集できなかった微細な塵埃や電動送風機１４のカーボンブラシ（図示せず）の摩耗屑を、塵埃除去後の空気から取り除き、ほぼ塵埃を含まないきれいな空気にして、掃除機本体１の外部へ排出する。
なお、詳細は省略するが、上述の掃除機本体１に吸い込まれた空気の流路付近の各部品の接続部（接触部）にはパッキング（図示せず）が設けられ、運転中の気密が保持されている。
【００３２】
＜コードリール２３と導入管２０＞
図３に示す電動送風機１４を収納するモータケース１６は、図５に示すように、掃除機本体１右側後方に配置され、左側後方にはコンセント等から電動送風機１４などへ電力を供給するための電源コード２３ａを収納するためのコードリール２３(図５参照)が配置されている。
【００３３】
電源コード２３ａを含むコードリール２３は、電気掃除機Ｓにおいては、重量が大きく掃除機本体１の重心位置を左右する枢要な構成要素である。
本実施形態では、モータケース１６およびコードリール２３の配置の関係上、導入管２０および導入管出口１２を左側に配置しているがこの限りではなく、導入管２０などを右側に配置しても構わない。
【００３４】
導入管２０を掃除機本体１の中央ではなく、左右の側部どちらかに寄せて配置するのは、詳細は後記するが集塵装置１０の外筒３０の内周面の接線方向(掃除機本体１の左右の側部何れかに位置する)から、吸込んだ空気を流入させ旋回流を発生させ易くするためである。
【００３５】
＜集塵装置１０＞
次に、集塵装置１０について図６から図９を用いて説明する。図６に集塵装置の正面図を示し、図７に集塵装置の左側面図を示す。また、図８に集塵装置の背面図を示し、図９に集塵装置の分解図を示す。
【００３６】
集塵装置１０は、吸口体７で吸込んだ塵埃などを含む空気を、塵埃などのごみと空気とを分離し、塵埃などのごみを集める機能をもつ。
集塵装置１０は、概ね外筒３０、内筒４０、捕塵フィルタ３２(図３参照)を収納するフィルタケース３３、および底蓋３１で形成されている。外筒３０の上部にフィルタケース３３、下部に底蓋３１が配置されている。そして、外筒３０内に外筒３０と同心円状に内筒４０を備えている。
内筒４０は、上側に設けられる吸気部４２を有する上部円筒４１と下側に設けられる筒体４６を内包した傘部４４とを含み構成されている。
【００３７】
詳細は後記するが、集塵装置１０は、外筒３０と内筒４０との間に塵埃の分離・集塵のための空間を有している。つまり、外筒３０と内筒４０とで形成される空間のうち、上部に塵埃分離部１０Ａを備え、下部に塵埃集塵部１０Ｂを備える。
塵埃分離部１０Ａは、塵埃と該塵埃を運んだ空気とを分離する空間である。塵埃収容部１０Ｂは、塵埃を集めて収容する空間である。
【００３８】
図７に示すように、外筒３０は、集塵装置１０を持ち運ぶための取っ手３５を備えている。取っ手３５の上部には、ごみを排出（廃棄）する際に押下するごみ捨てボタン３５ａを備えている。外筒３０の前方下側には、底蓋３１が回転自在に支持される回転軸３１ａを有している。
【００３９】
＜フィルタケース３３＞
外筒３０上部に設けられるフィルタケース３３は、上面部が蓋構造となっており、フィルタケース上部３３ａとフィルタケース下部３３ｂとに分割される。フィルタケース下部３３ｂは外筒３０上部と一体に形成され、捕塵フィルタ３２(図９参照)を受けるフィルタ受け部３４が収納されている。
【００４０】
フィルタ受け部３４は、外筒３０に設けたフィルタケース下部３３ｂに全体が収まるようにフィルタケース下部３３ｂの内壁面をオフセットした形状(フィルタケース下部３３ｂの内壁面より縮径した形状)であり、フィルタケース下部３３ｂに容易に着脱できる最大寸法で形成されている。
【００４１】
図９に示すように、フィルタ受け部３４の略中心部は開口しており、後記する内筒４０と流体的に連通している。さらに、フィルタ受け部３４の外殻の底面には、気密部材３４ａを備えている。気密部材３４ａはフィルタケース下部３３ｂの底面と接することにより、フィルタ受け部３４とフィルタケース下部３３ｂとの気密をとっている。
【００４２】
図９に示すように、フィルタケース上部３３ａの外観面には、上面に集塵装置１０を持つための持ち手５５、前方に掃除機本体１と固定するためのクランプ部５０、及びクランプ部５０を駆動するボタン６０を備えている。フィルタケース上部３３ａの後方には、電動送風機１４と流体的に接続される開口部３９が設けられる。
【００４３】
図３に示すように、開口部３９は保護フィルタ及びフィルタカバー１７を介しダクト２１と接続される。フィルタカバー１７は、捕塵フィルタ３２と同様に外周部の前後面にゴム部材等で成型されたパッキングが設けられ、開口部３９とダクト２１との間の気密が保持されている。
【００４４】
図９に示すフィルタケース上部３３ａの持ち手５５は、集塵装置１０を掃除機本体１に装着する際に、掃除機本体１に設けられる蓋体１９で覆われる。これは、掃除機本体１を持ち運ぶ際に、本体ハンドル１８(図１参照)ではなく、持ち手５５(図３参照)を持ち上げることを防止するためである。
【００４５】
＜蓋体１９＞
図１に示す蓋体１９は、掃除機本体１上部に設けられる回転軸部に回転自在に支持され、該回転軸部に蓋体１９が開く方向に付勢されるねじりバネ（図示せず）を備えている。
【００４６】
蓋体１９は、図４の開いた状態（蓋体１９が直立した状態）から前方へ倒す際にねじりバネの弾性による捩り力が加わり、蓋体１９底面の前側に設けた爪部１９ａがフィルタケース上部３３ａのクランプ部５０に係合して蓋体１９が閉じた状態となる(図３参照)。この際、蓋体１９にねじりバネが元の状態に戻ろうとする弾性力が加わり、その反作用として集塵装置１０を掃除機本体１側へ押し付けることができる。この構成により、集塵装置１０と掃除機本体１との気密保持と、集塵装置１０の掃除機本体１への固定とが両立されている。
【００４７】
蓋体１９を閉じた状態において、フィルタケース上部３３ａのボタン６０(図１参照)を押下すると、クランプ部５０が解除され、図４に示すように、蓋体１９がねじりバネの弾性力で持ち上がり持ち手５５が現われる。持ち手５５が現われた状態で、ユーザが持ち手５５を引き上げることで集塵装置１０を掃除機本体１から容易に取り外すことができる。
【００４８】
＜電気掃除機Ｓの使用＞
次に、電気掃除機Ｓの使用について説明する。
ユーザは、図１に示す電気掃除機Ｓの状態で、電源コード２３ａを電源コンセント(図示せず)に接続し、操作ボタン５を押下して、運転を開始する。
【００４９】
運転を開始すると、電動送風機１４が回転し吸口体７から塵埃などを含む空気を吸い込む。吸い込んだ塵埃などを含む空気は、図３に示すように、導入管２０を経て(図３の矢印β１)、導入管出口１２を通過して集塵装置１０内に流入する(図３の矢印β２)。外筒３０の接線方向から流入した空気は、旋回流となり(図３の矢印β３)、塵埃に遠心力が働き、塵埃と空気は分離される。つまり、集塵装置１０内の上部である塵埃分離部１０Ａ(図６参照)にて、塵埃と空気とは分離される(図３の矢印β４)。
【００５０】
分離された空気の多くは上部内筒４１に設けた吸気口４２より内筒４０の内部に流入する。そして、空気はフィルタ受け部３４を経て捕塵フィルタ３２を通過し、フィルタケース上部３３ａ(図６参照)の開口を経て、電動送風機１４へ至る(図３の矢印β６)。このとき、吸気口４２のメッシュ部材４２ａを通過した微細な塵埃は、捕塵フィルタ３２で捕集される。
【００５１】
一方、遠心力で分離された塵埃は、重力と一部の空気流により外筒３０と内筒４０との間を通り、塵埃集塵部１０Ｂ(図６参照)内に搬送される。このとき、塵埃には遠心力が働いているため、塵埃集塵部１０Ｂ内で旋回する(図３の矢印β４)。
【００５２】
そして、電気掃除機Ｓの使用を続けると、外筒３０内下部の底蓋３１上に徐々に塵埃が堆積し、底蓋３１に設けた底面リブ３１ｃを基点に塵埃の旋回が止まり、ドーナツ状に堆積する。
【００５３】
そして、塵埃が、集塵装置１０内の所定のごみ捨てライン(図示せず)まで達したら、ごみ捨てを行う。
例えば、電源コード２３ａを電源コンセントから外し、電源コード２３ａをコードリール２３に巻き込む。そして、吸引ホース２を、掃除機本体１のホース取り付け口１１から外す。これが、図２、図３に示す状態である。
【００５４】
＜掃除機本体１の姿勢＞
本電気掃除機Ｓは、次の構成を採用することで、掃除機本体１の姿勢が後に説明するような構成としている。
(１)電気掃除機Ｓの掃除機本体１は、従来の電気掃除機の掃除機本体よりも全長の寸法を短くした。例えば、全長の寸法を２２ｍｍ短くした。
(２)一対の走行輪１５ａの位置を従来の電気掃除機よりも、掃除機本体１の前方に配置した。例えば、一対の走行輪１５ａが４ｍｍ前方になるように配置した。
【００５５】
結果、一対の走行輪１５ａの車輪軸１５ａ１が、従来の電気掃除機に比較し、掃除機本体１中央寄りに配置する構成とした。なお、(１)、(２)の数値例は一例であり限定されず、他の数値を選択してもよい。
【００５６】
図１０に、掃除機本体から吸引ホースを取り外し、電源コードを巻き込んだ状態の側面図を示す。
図１０に示すように、掃除機本体１は、前部の一つのキャスタ１５ｂと左右の一対の走行輪１５ａとが、床面Ｍに接触して掃除機本体１を支持する。この場合、集塵装置１０が装着された掃除機本体１の重心Ｇ１は、前後方向において、前部のキャスタ１５ｂと左右の一対の走行輪１５ａとの間に位置する。
【００５７】
図１０の状態における走行輪１５ａの支軸１５ａ１廻りの集塵装置１０が装着された掃除機本体１のモーメントＭ１は、支軸１５ａ１から集塵装置１０が装着された掃除機本体１の重心Ｇ１までの水平方向長さをｓ１とし、集塵装置１０が装着された掃除機本体１の重量をｗ１とすると次式(１)で表わされる。
Ｍ１  ＝  ｓ１×ｗ１              (１)
【００５８】
モーメントＭ１は、走行輪１５ａの支軸１５ａ１に対して、反時計廻りのモーメントである。反時計廻りのモーメントＭ１が、走行輪１５ａの支軸１５ａ１廻りに加わることで、集塵装置１０が装着された掃除機本体１は、前部の一つのキャスタ１５ｂと左右の一対の走行輪１５ａとにより、床面Ｍ上に支持される。
【００５９】
掃除機本体１において、重量が大きいのは、電動送風機１４と電源コード２３ａを巻いたコードリール２３であるから、集塵装置１０の重量を加えて、集塵装置１０が装着された掃除機本体１の重心Ｇ１の位置が定まることとなる。
なお、この場合、前記したように、ホース取り付け口１１の向き(符号１１ｃ)は、略水平面である床面Ｍに対して上向きの傾斜を有しているため、ホース取り付け口１１の向き(符号１１ｃ)の床面Ｍ(略水平面)に対する傾斜角度θ１は、例えば、約１５度である。
【００６０】
続いて、ユーザが、集塵装置１０を取り外すために、フィルタケース上部３３ａのボタン６０を押下すると、クランプ部５０が解除され、図４に示すように、蓋体１９がねじりバネの弾性力で持ち上がり持ち手５５が現われる。
【００６１】
図１１に、掃除機本体から集塵装置を取り外した状態の側面図を示す。
持ち手５５が現われた状態で、ユーザが持ち手５５を引き上げることで集塵装置１０を掃除機本体１から取り外す。
すると、図１１に示すように、集塵装置１０を取り外した掃除機本体１の重心Ｇは、左右の一対の走行輪１５ａの後方に位置する。この場合、掃除機本体１の走行輪１５ａの軸１５ａ１廻りのモーメントＭ０は、支軸１５ａ１から掃除機本体１の重心Ｇまでの水平方向長さをｓ０とし、集塵装置１０が外された掃除機本体１の重量をｗ０とすると次式(２)で表わされる。
Ｍ０  ＝  ｓ０×ｗ０              (２)
【００６２】
つまり、走行輪１５ａの支軸１５ａ１に対して、時計廻りのモーメントＭ０が加わることにより、集塵装置１０が外された掃除機本体１は、左右の一対の走行輪１５ａと後部の一つのローラ１５ｃとが床面Ｍに接触して支持されることになる。
すなわち、集塵装置１０を取り外すと掃除機本体１の前部が浮く状態となる。
【００６３】
集塵装置１０(の下面)が装着される掃除機本体１の装着面を成す嵌合部１ａ１の床面Ｍに対する傾斜角度は、以下のようになる。
集塵装置１０を掃除機本体１から外した場合の傾斜角度θ４(図１１参照)が、集塵装置１０を掃除機本体１に装着した場合の傾斜角度θ３(図１０参照)より大きくなる。
【００６４】
この際、掃除機本体１のホース取り付け口１１の床面Ｍからの距離は、以下のようになる。図１１に示す集塵装置１０を掃除機本体１から取り外した場合の距離ｓ３が、図１０に示す集塵装置１０を掃除機本体１に装着した場合の距離ｓ２より長くなる。
また、図１０に示す集塵装置１０が掃除機本体１に装着された場合の集塵装置１０の中心軸ｃ１の床面Ｍに対する傾斜角度θ５は、集塵装置１０を掃除機本体１に装着する際の集塵装置１０(二点鎖線)の中心軸ｃ１の床面Ｍに対する傾斜角度θ６(図１１参照)よりも大きくなる。
【００６５】
これらの構成により、掃除機本体１の集塵装置１０の取り付け部が、ユーザ側の上方を向くため、集塵装置１０を掃除機本体１に装着する作業が容易である。また、掃除機本体１のホース取り付け口１１が上方を向くので、吸引ホース２の取り付け、取り外し作業が容易になる。また、後に詳述するように、導入管２０内のごみの除去作業が容易に行える。
【００６６】
この場合、ホース取り付け口１１の向き(符号１１ｃ)は、略水平面である床面Ｍに対して上向きの傾斜を有している。そのため、図１１に示すように、掃除機本体１の前部が浮くことにより、ホース取り付け口１１の向き(符号１１ｃ)の床面Ｍ(略水平面)に対する傾斜角度θ２が、集塵装置１０が装着される掃除機本体１のホース取り付け口１１の向き(符号１１ｃ)の床面Ｍ(略水平面)に対する傾斜角度θ１(図１０参照)に比較し、例えば、約２５度と１０度大きくなる。
【００６７】
なお、掃除機本体１の前部が浮く角度は一例であり、集塵装置１０を装着すると掃除機本体１が略水平な姿勢となる範囲で、集塵装置１０を掃除機本体１から取り外した場合の傾斜角度θ２(図１１参照)を大きくしてユーザの利便性向上を図ることが望ましい。
【００６８】
図１２に、集塵装置を掃除機本体から外した場合の上面図を示す。
前記したように、掃除機本体１において重量物は、電動送風機１４と、電源コード２３ａを巻回したコードリール２３とである。そのため、掃除機本体１の重心位置に大きく効く構成要素は、電動送風機１４と電源コード２３ａを巻回したコードリール２３とである。
【００６９】
電動送風機１４の重心Ｇ１４は、前後方向において、走行輪１５ａの車輪軸１５ａ１より若干後方に位置する。また、電源コード２３ａを巻回したコードリール２３の重心Ｇ２３は、前後方向において、走行輪１５ａの車輪軸１５ａ１より若干後方に位置する。
【００７０】
従って、集塵装置１０を掃除機本体１から外した場合には、電動送風機１４、電源コード２３ａを巻回したコードリール２３などの重量により、集塵装置１０を外した掃除機本体１の重心Ｇ(図１１参照)は、走行輪１５ａの車輪軸１５ａ１より後方に位置する。
一方、集塵装置１０を掃除機本体１に装着した場合には、図１０に示すように、集塵装置１０の重量効果により、集塵装置１０を装着した掃除機本体１の重心Ｇ１は走行輪１５ａの車輪軸１５ａ１より前方に位置することとなる。
【００７１】
このように、集塵装置１０が装着された掃除機本体１の重心Ｇ１の位置と、集塵装置１０が外された掃除機本体１の重心Ｇの位置との移動は、集塵装置１０の有無でなされることとなる。
【００７２】
その結果、前記したように、集塵装置１０が掃除機本体１に装着される場合には、図１０の位置に重心Ｇ１があることから、前部の一つのキャスタ１５ｂと左右の一対の走行輪１５ａとにより、床面Ｍ上に支持される。一方、集塵装置１０が掃除機本体１から取り外された場合には、図１１の位置に重心Ｇがあり、左右の一対の走行輪１５ａと後部の一つのローラ１５ｃとにより、床面Ｍ上に支持される。
【００７３】
図１３に導入管内に湿気をもったごみなどが残留した際のごみの除去作業を表わす図２のＡ−Ａ断面を示す。
例えば、導入管２０の入口付近２０ａに、ごみｔ１が残った場合には、ユーザは、掃除機本体１前部のホース取り付け口１１から、割り箸ｈ１などを挿入してごみｔ１を掻き出す。
或いは、導入管２０の出口付近２０ｂに、ごみｔ２が残った場合には、ユーザは、掃除機本体１中央部の導入管出口１２(図４参照)から、割り箸ｈ２などを挿入してごみｔ２を掻き出す。
【００７４】
この場合、集塵装置１０を取り外した掃除機本体１は、左右の一対の走行輪１５ａと後部の一つのローラ１５ｃとにより、床面Ｍ上に支持されて、掃除機本体１前部のホース取り付け口１１および掃除機本体１中央部の導入管出口１２は、集塵装置１０を装着した場合より上方を向くため、ユーザ側により対向する。そのため、ユーザの割り箸ｈ１、ｈ２などによるごみｔ１、ｔ２の除去作業がユーザの姿勢を大きく変えることなく容易に行える。
【００７５】
上記構成によれば、集塵装置１０を掃除機本体１に装着した際(図１０参照)は走行輪１５ａよりも前側に重心Ｇ１があり、掃除機本体１は水平の姿勢に維持される。一方、集塵装置１０を掃除機本体１から取り外すと走行輪１５ａよりも後側に重心Ｇが移動するため(図１１参照)、掃除機本体１前側が浮き上がり、掃除機本体１の姿勢が傾斜した状態が維持される。
【００７６】
また、掃除機本体１前部のホース取り付け口１１で定まる吸引ホース２の角度を水平より上方へ傾けて構成している。そのため、吸気パイプの導入管２０内に残ってしまったごみが吸気開口のホース取り付け口１１から漏出することを抑制または防止できる。
【００７７】
そして、集塵装置１０を外すと掃除機本体１前側が浮くため、吸気開口のホース取り付け口１１および連通口の導入管出口１２が上方に向き、吸気パイプである導入管２０内のごみｔ１、ｔ２を割り箸ｈ１、ｈ２などで取り除く作業が容易になる。加えて、吸引ホース２のホース取り付け口１１への取り付け、取り外し作業が容易になる。
【００７８】
さらに、掃除機本体１における集塵装置１０の装着面(嵌合部１ａ１)の床面Ｍに対する傾斜角度θ４が、集塵装置１０の装着時の傾斜角度θ３(図１０参照)より大きくなるため、ユーザによる集塵装置１０の掃除機本体１への装着が容易になる。
従って、集塵装置１０の装着作業、吸引ホース２の取り付け、取り外し作業、および吸気パイプ内の掃除が円滑かつ容易に行える。そのため、使い勝手及びお手入れ性が向上する電気掃除機Ｓを実現することができる。
【００７９】
なお、前記実施形態では、掃除機本体１の後部にローラ１５ｃを設置する場合を例示したが、ローラ１５ｃを設置しない構成としてもよい。
【００８０】
なお、本発明は前記した実施形態に限定されるものでなく、様々な実施形態が含まれる。例えば、上記した実施形態は本発明を分り易く説明したものであり、必ずしも説明した全ての構成を備えるものに限定されるものではない。例えば、説明した構成の一部を含むものであってもよい。
【符号の説明】
【００８１】
１      掃除機本体
１ａ１  嵌合部(取り付け面)  
１０    集塵装置
１１    ホース取り付け口
１４    電動送風機
１５ａ  走行輪
１５ｂ  キャスタ(前輪)
１５ｃ  ローラ(後部)
３１    底蓋 (下面)
Ｇ      掃除機本体の重心
Ｇ１    集塵装置を装着した掃除機本体の重心
Ｍ      床面
Ｓ      電気掃除機
θ３    集塵装置を掃除機本体に装着した場合の装着面の傾斜角度(取り付け面の傾斜角度)
θ４    集塵装置を掃除機本体から外した場合の装着面の傾斜角度(取り付け面の傾斜角度)
θ５    集塵装置を掃除機本体に装着した場合の集塵装置の中心軸の傾斜角度
θ６    集塵装置を掃除機本体から外した場合の集塵装置の中心軸の傾斜角度
【図１】
2016010499.tif 000003
【図２】
2016010499.tif 000004
【図３】
2016010499.tif 000005
【図４】
2016010499.tif 000006
【図５】
2016010499.tif 000007
【図６】
2016010499.tif 000008
【図７】
2016010499.tif 000009
【図８】
2016010499.tif 000010
【図９】
2016010499.tif 000011
【図１０】
2016010499.tif 000012
【図１１】
2016010499.tif 000013
【図１２】
2016010499.tif 000014
【図１３】
2016010499.tif 000015